(57)【要約】【課題】照明機器を常に通電状態を保ち、遠隔操作装置からの制御信号に基づいて制御できる遠隔制御システムを提供する。【解決手段】照明機器に制御信号を出力する遠隔操作装置１は、照明機器に電源供給をする電源供給部４と、照明機器３に対する操作要求を入力する入力部８と、入力部８からの入力に応じて照明機器３に制御信号を送信する送信部７とを備えている。照明機器３は、電源供給部４を介して常に動作用電源が供給されるので、常に待機状態とされ、操作要求に対して反応することができる。【選択図】図１
2006129098.tif 000002
【特許請求の範囲】
【請求項１】
遠隔操作可能とされた被制御機器を操作する遠隔操作装置であって、常に通電状態を保って遠隔操作可能な状態を維持するように被制御機器に電源供給をする電源供給部と、前記被制御機器に対する操作要求を入力する入力部と、該入力部からの入力に応じて前記被制御機器に制御信号を送信する送信部とを備えたことを特徴とする遠隔操作装置。
【請求項２】
被制御機器の動作状態を確認する動作確認部と、送信された制御信号によって前記被制御機器が動作していない場合、前記制御信号を再度送信するよう前記送信部を制御する制御部とを備えたことを特徴とする請求項１に記載の遠隔操作装置。
【請求項３】
各種の被制御機器に応じた複数の制御コード情報を記憶しておく制御コード記憶部と、前記制御コード情報の中から特定の被制御機器に対する前記制御コード情報を設定する制御コード設定部とを備え、該制御コード設定部は、前記複数の制御コード情報の中から選択された制御コード情報に基づいて生成された制御信号を送信した後、前記被制御機器が動作したときに、選択された前記制御コード情報を特定の被制御機器に対する制御コード情報として設定することを特徴とする請求項１または２に記載の遠隔操作装置。
【請求項４】
被制御機器を制御する外部に設けられたコントロール装置と通信を行なう通信部を備え、該通信部を通じて前記コントロール装置から受信した操作信号に基づいて前記被制御機器に制御信号を送信することを特徴とする請求項１〜３のいずれかに記載の遠隔操作装置。
【請求項５】
遠隔操作可能とされた照明機器を操作する遠隔操作装置であって、常に通電状態を保って遠隔操作可能な状態を維持するように照明機器に電源供給をする電源供給部と、前記照明機器に対する操作要求を入力する入力部と、前記照明機器の動作状態を確認する動作確認部と、前記被制御機器の動作状態に応じて、操作要求に応じた制御信号を出力する制御部と、前記照明機器に制御信号を送信する送信部とを備えたことを特徴とする遠隔操作装置。
【請求項６】
動作確認部は、電源供給部を流れる電流を検出して、前記照明機器がどのような動作状態にあるかを確認することを特徴とする請求項５に記載の遠隔操作装置。
【請求項７】
照明機器専用の移動可能なリモコン装置と、屋内に固定された請求項１〜６のいずれかに記載の遠隔操作装置とのいずれかによって操作されることを特徴とする照明機器。
【請求項８】
請求項１，２，３，５，６のいずれかに記載の照明機器用の遠隔操作装置と、照明機器を制御するコントロール装置とを備え、前記コントロール装置は、前記照明機器に対する操作要求を入力する入力部と、該入力部の入力に応じて制御信号を前記遠隔操作装置に送信する通信部と、前記照明機器の動作状態を報知する報知部とを備え、前記遠隔操作装置は、前記コントロール装置と通信を行なう通信部を備え、該通信部を通じて前記コントロール装置から受信した操作信号に基づいて前記照明機器に制御信号を送信することを特徴とする照明機器の遠隔制御システム。
【請求項９】
コントロール装置に、通信端末と通信を行なう外部通信部と、複数の遠隔操作装置と通信を行なう内部通信部とを備え、該内部通信部は、前記通信端末からの操作要求に基づいて指定された前記照明機器に対する制御信号を該当する遠隔操作装置に送信することを特徴とする請求項８に記載の照明機器の遠隔制御システム。
【発明の詳細な説明】
【技術分野】
【０００１】
本発明は、制御信号によって制御される被制御機器の遠隔操作装置に関し、特に屋内に設置された照明機器を屋外より制御可能とする遠隔操作装置および遠隔制御システムに関する。
【背景技術】
【０００２】
昨今、ホームネットワークの発展と普及により、外出中であっても携帯電話やＰＤＡ等の通信端末を利用して、屋内の家電機器を制御可能なホームネットワークシステムが多数開示されている。その中でも、特に、防犯目的とした照明機器の遠隔制御が重視されている。例えば、留守中であっても部屋の照明を点灯させて在宅を装ったり、帰宅時に前もって部屋の照明を点灯させて明るくしておく。
【０００３】
特許文献１には、リモコン装置からのＯＮ／ＯＦＦ信号によって点灯／消灯する照明機器に対して、遠隔操作の操作性を向上させることが開示されている。また、特許文献２には、既存の壁固定用のスイッチ回路と、遠隔操作用のスイッチ回路とを別途併用して装備することにより、屋外から照明機器の遠隔制御を可能とする制御システムが開示されている。
【特許文献１】特開平０４−１３７４８８号公報
【特許文献２】特開２００４−１４７０６５号公報
【発明の開示】
【発明が解決しようとする課題】
【０００４】
しかしながら、特許文献１の照明機器では、壁に固定された固定スイッチがＯＮの時のみ、リモコン装置からのＯＮ／ＯＦＦ信号による遠隔制御が可能である。そのため、使用者が固定スイッチをＯＦＦにした場合、リモコン装置では照明機器を遠隔操作できない。また、リモコン装置とは別に照明機器を遠隔操作する遠隔操作装置を設けた時においても、固定スイッチをＯＦＦにした場合は、遠隔操作装置からでは照明機器を操作することができない。
【０００５】
特許文献２の動作状態制御システムでは、既存の壁固定用のスィッチ回路と、遠隔操作用のスィッチ回路とを夫々独立して設けるとともに、両スイッチ回路のスイッチ状態を連動させる回路構成となっているため、コスト的に高価な回路構成となる問題があった。また、被制御機器が見えない場所、例えば、屋外などから操作する場合、遠隔操作装置から照明機器に制御信号を送信した後、照明機器が制御信号の内容に対応して動作状態が推移したか否かを判断することができない問題がある。
【０００６】
そこで、本発明は、照明機器等の被制御機器を常に通電状態に保つようにして、いつでも制御できる遠隔操作装置および遠隔制御システムの提供を目的とする。
【課題を解決するための手段】
【０００７】
上記目的を達成するために、本発明は、遠隔操作が可能な被制御機器を操作する遠隔操作装置であって、前記被制御機器が常に通電状態を保つように電源供給をする電源供給部と、前記被制御機器に対する操作要求を入力する入力部と、該入力部からの入力に応じて前記被制御機器に制御信号を送信する送信部とを備えたことを特徴とする。
【０００８】
電源供給部は、専用のリモコン装置によって操作される被制御機器に対して、常に通電状態を保つようにするもので、商用電源や発電装置等の電源と被制御機器との間に配されている。これにより、被制御機器は、電源供給部を介して常に動作用電源が供給される。そのため、被制御機器は、常に待機状態となっており、遠隔制御装置あるいは専用のリモコン装置からの操作要求に対して即座に反応することができる。
【０００９】
また、遠隔操作装置は、被制御機器の動作状態を確認する動作確認部を備えている。動作確認部により、遠隔操作装置から送信した制御信号に基づいて被制御機器が動作したか否かを確認することができる。被制御機器が動作していない場合は、制御部は、その情報を受けて制御信号を再度送信するよう送信部を制御する。したがって、遠隔操作装置は、使用者からの操作要求に対し、正しく反映することが可能となり、遠隔操作の信頼性が高くなる。
【００１０】
遠隔操作装置には、各種の被制御機器に応じた複数の制御コード情報を記憶しておく制御コード記憶部と、前記制御コード情報の中から特定の被制御機器に対する前記制御コード情報を設定する制御コード設定部とを備え、該制御コード設定部は、前記複数の制御コード情報の中から選択された制御コード情報に基づいて生成された制御信号を送信した後、前記被制御機器が動作したときに、選択された前記制御コード情報を特定の被制御機器に対する制御コード情報として設定することができる。これにより、以降の特定の被制御機器に対する制御を簡易に行なうことができる。
【００１１】
制御コード記憶部には、複数の被制御機器に対応する制御コード情報が記憶されているため、その制御コード情報を選択して、既設の被制御機器に対する制御コード情報を設定することができる。更には、被制御機器を買い換えた場合においても、それに対応する制御コード情報を設定し、制御コード記憶部に格納することができる。遠隔操作装置の利用範囲が広まり、汎用性が高まる。
【００１２】
また、遠隔操作装置は、被制御機器を制御する外部に設けられたコントロール装置と通信を行なう通信部と、該通信部を介して前記コントロール装置から受信した信号に基づいて前記被制御機器に制御信号を送信することができる。遠隔操作装置は、外部に設けられたコントロール装置との間でも通信することができるので被制御機器の制御を複数箇所から行なうことができる。
【００１３】
コントロール装置には、被制御機器に対する操作要求を入力する入力部と、該入力部の入力に応じて制御信号を前記遠隔操作装置に送信する通信部と、前記被制御機器の動作状態を報知する報知部とを備えている。
【００１４】
通信部は、有線または無線等の通信手段を用いて、遠隔操作装置の通信部と双方向に通信する。コントロール装置から遠隔操作装置に対して操作要求信号を送信すると、遠隔操作装置は、操作要求に応じた制御信号を被制御機器に送信する。その後、遠隔操作装置は、検出した被制御機器の動作状態に関する情報をコントロール装置に送信する。コントロール装置は、この情報を報知する。したがって、使用者は、制御信号が正常に受信され、所定の動作状態に推移したか否かを判別することができる。
【００１５】
また、コントロール装置は、通信端末と通信を行なう外部通信部と、複数の遠隔操作装置と通信を行なう内部通信部とを備えた構成とすることができる。
【００１６】
これにより、使用者が屋外にいたとしても、携帯電話やＰＤＡ等の通信端末から電話回線やインターネット等を利用して、被制御機器を制御することができる。そのため、防犯を目的とした照明機器の遠隔制御が可能となり、例えば、留守中であっても外出先から部屋の照明を点灯させて在宅を装ったり、帰宅時に前もって部屋の照明を点灯させて明るくしておくことができる。
【発明の効果】
【００１７】
以上のように、本発明によると、被制御機器を常に通電状態を保って遠隔制御可能な状態を維持するようにしているので、遠隔操作された時に被制御機器を即座に動作させることができ、必要な時にいつでも屋内や屋外から遠隔操作することが可能となる。
【発明を実施するための最良の形態】
【００１８】
［第１実施形態］
以下、本発明の実施形態を図面に基づいて説明する。図１は本発明にかかる第１実施形態の照明機器の遠隔制御システムの構成図を示す。
【００１９】
第１実施形態にかかる遠隔制御システムは、図１に示すように、被制御機器である照明機器３に対して制御信号を出力する遠隔操作装置１と、照明機器３を制御する専用のリモコン装置１７とから構成される。照明機器３は、遠隔操作装置１およびリモコン装置１７によって操作される。
【００２０】
リモコン装置１７は、一般的なリモコン装置であり、操作対象とされる照明機器３に対応した制御コード情報が予め設定されている。リモコン装置１７は、その設定された制御コードに基づいて制御信号を生成し、生成した制御信号を照明機器３に送信する。
【００２１】
照明機器３は、遠隔操作装置１またはリモコン装置１７から送信された制御信号を受信する受信部と、受信した制御信号に基づいて点灯／消灯を切替える切替えスイッチとを備え、点灯／消灯とを交互に切替えて動作する。
【００２２】
遠隔操作装置１は、赤外線を放射することによって制御信号を送信するものであり、照明機器３に対して同じ空間内に配置される。遠隔操作装置１は、照明機器３が常に通電状態を保つように電源供給をする電源供給部４と、照明機器３に対する操作要求を入力する入力部８と、入力部８からの入力に応じて照明機器３に制御信号を送信する送信部７と、各種の照明機器３に応じた複数の制御コード情報を記憶しておく制御コード記憶部１０と、制御コード情報の中から特定の照明機器３に対する制御コード情報を設定する制御コード設定部２６と、それらを制御する制御部６とを備えている。これらが一体的にケースに収容され、ケースが屋内の壁に取付けられる。
【００２３】
入力部８は、タッチパネル等からなり、照明機器３の点灯／消灯を切替える。また、入力部８は、押しボタンスイッチやロッカスイッチ等であっても良い。
【００２４】
電源供給部４は、商用電源２と照明機器３との間に配される。商用電源２からの電力線が電源供給部４を通り、照明機器３に接続される。電力線によって、電源供給部４は、照明機器３に対して常にＡＣ１００Ｖの商用電源２を供給することができ、照明機器３を常に通電状態に保つことができる。そのため、照明機器３の受信部は、常に受信可能な状態にある。
【００２５】
また、電源供給部４には、照明機器３の動作状態を検知する動作確認部を備えている。照明機器３の動作状態に応じて電力線に流れる電流が変化するので、動作確認部は、この電流の変化を検出する。したがって、動作確認部は、電流検知回路５を構成する。この電流検出回路５は電力線に介装される。
【００２６】
遠隔操作装置１は、上記の構成に他に、制御電源部２７を備える。この制御電源部２７は、遠隔操作装置１の制御部６に駆動用の電源を供給するものである。
【００２７】
送信部７は、赤外線を放射する赤外線発光ダイオードからなり、ここから赤外線信号により照明機器３の受信部に対して所定のフォーマットにしたがって生成された制御信号が送信される。
【００２８】
制御コード記憶部１０は、ＲＯＭ等の読み出し専用のメモリとされ、メーカや機種等の各種の照明機器３に対応した複数の制御コード情報が予め記憶されている。制御コード情報は、連続した制御コード識別ＩＤに関連付けて、各種の照明機器に対応した点灯用／消灯用の制御コード、チャンネル情報、そのデータフォーマット、変調周波数、および、リモコン方式（ダイレクト方式あるいはサイクル方式）といった情報から構成され、データテーブルの方式で保存されている。なお、制御コード記憶部１０は、書込み可能なフラッシュメモリやＥＥＰＲＯＭ等の不揮発性メモリとしたり、あるいは、メモリカード等の着脱可能なメモリとしてもよい。このようなメモリにすれば、制御コード情報の書込み更新が可能となり、最新の情報を保有でき、新製品の被制御機器にも対応できる。
【００２９】
制御コード設定部２６は、フラッシュメモリやＥＥＰＲＯＭ等の読出しと書込みが可能な不揮発性メモリとされ、制御コード記憶部１０に記憶されている複数の制御コード情報の中から、選択された実際の照明機器３のリモコン操作に使用される制御コード情報が格納され、記録される。
【００３０】
制御部６は、内部にＲＡＭ、ＲＯＭおよびＣＰＵを有するマイクロコンピュータから構成されており、入力部８から入力された操作要求に基づいて制御コード設定部２６に記憶されている制御コード情報を読出し、操作要求に応じて制御信号を生成し、送信部７に出力する。また、制御部６は、常時あるいは定期的に電流検知回路５の検出結果を読み込んで、照明機器３の動作状態を確認する。例えば、電力線を流れる電流が大の場合は、照明機器３が消灯していると判断し、電力線を流れる電流が小の場合は、照明機器３が点灯していると判断する。これにより、制御部６は、制御信号を送信したときに電力線の電流に変化がないと、照明機器３が動作していないと判断し、制御信号を再度送信するように送信部７を制御する。
【００３１】
次に、遠隔操作装置１を用いた遠隔制御システムの制御動作を、図２に基づいて説明する。図２は遠隔制御動作を示すフローチャートを示す。
【００３２】
制御部６は、使用者による入力部８からの入力の有無を確認する（Ｓ１）。入力部８から入力がされたことを検出した場合、電流検知回路５の信号を読み込んで、現在の照明機器３が点灯状態か否かを判断する（Ｓ２）。照明機器３が点灯状態であると判断した場合は、制御信号の送信用バッファに消灯用の制御コードをセットする（Ｓ４）。逆に、消灯状態と判断した場合は、送信用バッファに点灯用の制御コードをセットする（Ｓ３）。
【００３３】
送信部７は、送信バッファにセットされた制御コードから生成された制御信号を送信する（Ｓ５）。照明機器３は、制御信号を受信すると、その制御コードを解析して、切替えスイッチを作動させる。照明機器３の移動状態が変化し、操作要求に応じて点灯あるいは消灯する。
【００３４】
制御部６は、制御信号を出力後、再度、電流検知回路５の信号を読み込んで、送信した制御信号の内容に応じた動作状態に照明機器３が推移したか否かを確認する（Ｓ６）。ここで、送信した制御信号の内容に応じた動作状態に推移したと判断した場合は、制御信号の送信処理を終了して（Ｓ８）、入力部８の入力待ち状態になる（Ｓ１）。
【００３５】
また、照明機器３が送信した制御信号の内容に応じた動作状態に推移していないと判断した場合は、再度同一の制御信号を送信する再送信処理を行なう（Ｓ７、Ｓ５）。この再送信処理は、３回まで試行する。これにより、操作された内容を正しく反映させることが可能となり、制御信号による遠隔操作の信頼性の向上につながる。
【００３６】
なお、照明機器３専用のリモコン装置１７による操作の場合は、遠隔操作装置１と同様に使用者からの操作要求に基づいて照明機器３に制御信号を送信する。照明機器３は、常に待機状態にあるので、リモコン装置１７からの操作要求に対しても即座に動作する。
【００３７】
以上のように、電源供給部４を介して商用電源２から動作電源が常に供給されるため、照明機器３は、遠隔操作装置１あるいはリモコン装置１７からの制御信号による遠隔制御が可能な状態に保持することができ、即座に対応することができる。なお、照明機器３が全灯→減灯→豆灯→消灯→全灯のように順に動作状態が変化するサイクル方式であっても、同様に動作状態を確認してから制御信号が出力される。したがって、所望の動作状態に推移したか確認することができる。
【００３８】
次に、制御部６における照明機器３の照明登録動作を、図３を用いて説明する。図３は照明登録動作を示すフローチャートを示す。
【００３９】
照明機器３に対する制御コード情報を登録する際には、先ず、登録スイッチ９を押す。制御部６は、登録スィッチ９からＯＮ入力がされたことを検知すると（Ｓ１０）、電流検知回路５の検出結果を読み込んで、現在の照明機器３が点灯状態か否かを判断する（Ｓ１１）。この結果に基づいて、例えば、照明機器３が消灯状態ならば制御信号の送信用バッファに点灯用の制御コードをセットし、照明機器３が点灯状態ならば制御信号の送信用バッファに消灯用の制御コードをセットする（Ｓ１２、Ｓ１３）。この制御コードは、制御コード記憶部１０内に予め記憶された、各種の照明機器の制御コード情報のテーブルデータの先頭データから順に読み出される。セットされた制御コードとチャンネル情報に基づいて制御信号を生成し、送信部７から制御信号を送信する。ここでは、赤外線信号の指向不具合等により照明機器３に届かなかったことを想定して、３回連続して送信処理を行なう（Ｓ１４ａ、Ｓ１４ｂ、Ｓ１４ｃ）。
【００４０】
制御信号の送信後、再度、電流検知回路５の検出結果を読み込んで、照明機器３の動作状態が制御信号の送信前の動作状態から変化したか否かを判断する（Ｓ１５）。動作状態が変化した場合は、テーブルデータより選択した制御コード情報が、制御対象とする照明機器３のものと合致したと判断し、制御コード識別ＩＤやチャンネル情報等を不揮発性メモリであるＥＥＰＲＯＭである制御コード設定部２６に書き込んで記憶する（Ｓ１８）。動作状態が変化していない場合は、制御対象とする照明機器３のものと合致しなかったと判断し、テーブルデータ内の次のデータについて同様にして確認をする。制御部６は、制御コード情報が制御対象とする照明機器３のものと合致するまで、同様の手順にて試行する（Ｓ１６）。
【００４１】
なお、制御コードを設定している際、必要な情報については、定期的に不揮発性メモリに保存しておくとよい。そのため、停電等で電源が遮断されたり、登録動作を中止した場合でも、再動作するときに不揮発性メモリより中断時の状態を読み出すことができ、制御コードの設定操作を継続させることができる。
【００４２】
このような照明登録機能があるため、既設のリモコン対応の照明機器に対して遠隔操作装置１を後付けする場合、あるいは、既設の遠隔操作装置１に対して照明機器３を新設または交換する場合に登録処理をすることで、遠隔操作システムを利用することが可能となる。
【００４３】
［第２実施形態］
図４は第２実施形態の照明機器の遠隔制御システムの構成図、図５はコントロ−ル装置の操作画面を示す図である。
【００４４】
第２実施形態にかかる遠隔制御システムは、図４に示すように、被制御機器である照明機器３に対して使用者からの操作要求を出力するコントロール装置１２と、通信回線を介して被制御機器２５に屋外からの操作要求を出力するゲートウェイ装置２４と、コントロール装置１２およびゲートウェイ装置２４の夫々からの操作要求に応じて制御信号を出力する遠隔操作装置２５とから構成される。
【００４５】
遠隔操作装置２５とコントロール装置１２とゲートウェイ装置２４は互いに通信可能とされる。照明機器３は、複数設置されており、夫々の照明機器に遠隔操作装置２５が備えられる。
【００４６】
なお、１台の遠隔操作装置２５において、遠隔操作可能な照明機器３は、１台に限られることなく、遠隔操作装置２５は、通信できる範囲であれば、複数の照明機器３を遠隔操作してもよい。
【００４７】
コントロール装置１２は、操作入力部１５と、照明機器３の動作状態または操作内容を表示する表示部１４と、遠隔操作装置２５と通信を行なう通信部１３と、これら全体の制御をする制御部１６とを備え、屋内に設置され、複数の照明機器３の集中コントロール装置として利用される。
【００４８】
操作入力部１５はタッチパネルや押しボタン等である。通信部１３は、無線ＬＡＮやブルートゥース(登録商標)、特定小電力無線等の無線通信を行なう。なお、通信ケーブル等を用いた有線通信としてもよい。あるいは、商用交流電源の電力線を利用した電力線搬送による通信であっても良い。
【００４９】
表示部１４は、液晶画面やＬＥＤ等である。照明機器３の動作状態や操作入力部１５からの操作要求を表示することにより、使用者は、制御機器３の現在の動作状態を確認してから操作することができる。また、操作入力部１５から入力した操作要求に間違いがないか確認することができる。
【００５０】
制御部１６は、内部にＲＡＭ、ＲＯＭおよびＣＰＵを有するマイクロコンピュータから構成されており、操作入力部１５または通信部１３から入力があった時に、入力された情報にしたがって表示するように表示部１４を駆動する表示処理機能と、操作入力部１５から入力された操作要求を遠隔操作装置２５に送信するように通信部１３を制御する通信処理機能とを有する。
【００５１】
ゲートウェイ装置２４は、遠隔操作装置２５と通信を行なう内部通信部２０と、携帯電話やＰＤＡ等の通信端末２２と通信を行なう外部通信部と、これら全体の制御をする制御部１８とから構成される。また、ゲートウェイ装置２４は、屋内に設置され、通信回線を介してネットワークに接続される。なお、ゲートウェイ装置２４は、照明機器３を制御する外部に設けられたコントロール装置の１つとして機能する。
【００５２】
内部通信部２０は、コントロール装置１２の通信部１４と同じ構成とされる。外部通信部は、ネットワークを通じて通信端末２２とデータの送受信を行なう回線接続装置２１と、制御部１８と回線接続装置２１との間でデータの入出力を行い、所定のプログラムにしたがってデータ処理をする通信処理部１９とからなる。
【００５３】
回路接続回線２１は通信回線を介してネットワークに接続される。回線接続装置２１は、有線の場合は、通信ケーブルや電力線等の通信媒体に接続されたモデム、ＬＡＮやＷＡＮ等に接続されたルータ等の通信装置とされる。なお、ネットワークとの接続は無線であってもよい。この場合は、電波を送受信する無線通信ユニットとされる。また、回線接続装置２１は、ゲートウェイ装置２４とは別体でもよいが、ゲートウェイ装置２４に内蔵されてもよい。
【００５４】
通信処理部１９は、ウェブサーバとして機能する。遠隔操作入力に関するプログラムを保有しており、通信端末２２からの操作要求に応じてプログラムを実行する。
【００５５】
通信端末２２が有するブラウザにより通信処理部１９のウェブサーバにアクセスすると、図５に示すような、コントロール装置１２の表示部と同様な照明機器３のリスト画面が返信され、通信端末２２の表示部に表示される。使用者は、表示されたリスト画面から操作したい照明機器３と操作内容とを選択し、送信する。送信された操作要求を通信処理部１９が受信し、その情報を制御部１８に出力する。制御部１８は内容を解析する。制御部１８で解析された結果に基づいて、選択した照明機器３に対応する遠隔操作装置２５に操作要求信号を送信する。操作要求信号を送信後、遠隔操作装置２５からの動作状態に関する応答信号を待ち、応答信号を受信すると、通信処理部１９は、操作結果を記したメッセージ画面のデータを作成し、通信端末２２に送信する。
【００５６】
遠隔制御装置２５は、第１実施形態と同じ構成とされ、さらに、通信部１１を有している。通信部１１は、コントロール装置１２およびゲートウェイ装置２４との通信部１１に対応した通信方式によって通信を行なう。
【００５７】
次に、遠隔操作装置２５を用いた遠隔制御システムの制御動作を、図６の制御動作フローチャートに基づいて説明する。
【００５８】
使用者が遠隔操作装置３の入力部８から操作要求を入力した場合は、第１実施形態の制御動作と同様である。遠隔操作装置２５がコントロール装置１２からの操作要求信号、あるいは、ゲートウェイ装置２４を通じて通信端末２２からの操作要求信号を受信（Ｓ２０）した場合は、制御部６が操作要求信号の内容を解析し、解析結果に基づいて制御信号の送信用バッファに点灯用、あるいは、消灯用の制御コードをセットする（Ｓ２２、Ｓ２３）。
【００５９】
以降は、第１実施形態の制御動作と同様に、送信部７は、送信バッファにセットされた制御コードから生成された制御信号を照明機器３に送信する（Ｓ５）。このとき、送信相手は、操作要求時に選択された照明機器３である。制御信号を出力後、再度、電流検知回路５の信号を読み込んで、送信した制御信号の内容に応じた動作状態に照明機器３が推移したか否かを確認する（Ｓ６）。
【００６０】
ここで、送信した制御信号の内容に応じた動作状態に推移したと判断した場合は、制御信号の送信処理を終了して（Ｓ８）、入力部８の入力待ち状態になる（Ｓ１）。また、照明機器３が送信した制御信号の内容に応じた動作状態に推移していないと判断した場合は、再度同一の制御信号を送信する再送信処理を行なう（Ｓ７、Ｓ５）。この再送信処理は、３回まで試行する。これにより、操作された内容を正しく反映させることが可能となり、制御信号による遠隔操作の信頼性の向上につながる。
【００６１】
送信処理が終了すると、操作要求の入力が遠隔操作装置２５の入力部８からの入力によるものか否かを確認する（Ｓ２４）。遠隔操作装置２５による遠隔操作であった場合は、制御信号の送信処理を終了して（Ｓ８）、入力部８の入力待ち状態になる（Ｓ１）。
【００６２】
遠隔操作装置２５の入力部８からの入力ではなく、コントロール装置１２あるいはゲートウェイ装置２４からの遠隔操作であった場合は、操作要求信号を送信してきたコントロール装置１２あるいはゲートウェイ装置２４に、出力結果を反映した内容の電文を送信（Ｓ２５）し、制御信号の送信処理を終了して（Ｓ８）、入力部８の入力待ち状態になる（Ｓ１）。コントロール装置１２あるいは通信端末２２は、操作要求に対する応答を報知する。使用者は、この応答を確認して、照明機器３の動作状態を把握することができる。
【００６３】
照明機器３は、常に制御信号による遠隔制御可能な状態に保持されているため、照明機器３が設置された別の部屋から、あるいは、屋外から遠隔操作が可能となる。特に、屋外から遠隔操作できるため、照明機器３を防犯目的として利用することが可能となる。
【００６４】
［第３実施形態］
第３実施形態にかかる遠隔制御システムは、第２実施形態と同様の構成とされる。被制御機器である照明機器３に対して使用者からの操作要求を出力するコントロール装置１２と、通信回線を介して被制御機器２５に屋外からの操作要求を出力するゲートウェイ装置２４と、夫々からの操作要求に応じて制御信号を出力する遠隔操作装置２５とから構成される。遠隔操作装置２５とコントロール装置１２とゲートウェイ装置２４は互いに通信可能とされる。照明機器３は、複数設置されており、夫々の照明機器に遠隔操作装置２５が備えられる。なお、１台の遠隔操作装置２５において、遠隔操作可能な照明機器３は、１台に限られることなく、遠隔操作装置２５は、通信できる範囲であれば、複数の照明機器３を遠隔操作してもよい。
【００６５】
次に、遠隔操作装置２５を用いた遠隔制御システムの制御動作を、図７の制御動作フローチャートに基づいて説明する。
【００６６】
使用者がコントロール装置１２あるいは通信端末２２から入力した場合は、第２実施形態の制御動作と同様である。遠隔操作装置２５がコントロール装置１２からの操作要求信号、あるいは、ゲートウェイ装置２４を通じて通信端末２２からの操作要求信号を受信（Ｓ３３）した場合は、制御部６が操作要求信号の内容を解析し、その解析結果と照明機器３の動作状態とに基づいて入力された操作要求信号が適正か否かを判断する（Ｓ２６、Ｓ２７）。操作要求信号が適性でないと判断された場合は、入力された操作要求信号を破棄し、その旨の内容を報知する（Ｓ２８、Ｓ２９）。操作要求信号が適性と判断された場合は、第２実施形態の制御動作と同様に、送信バッファにセットされた制御コードから生成された制御信号を送信部７から照明機器３に送信する（Ｓ５）。以降は、第２実施形態の制御動作と同様に行われる（Ｓ６、Ｓ７、Ｓ８）。
【００６７】
また、コントロール装置１２または通信端末２２に動作状態確認ボタンを備えてもよい。この場合の制御動作を図８の制御動作フローチャートに基づいて説明する。
【００６８】
図８に示すように、はじめに確認ボタンを押すことで（Ｓ３０）、電流検知回路５の信号を読込み、動作状態を判断する。その判断結果をコントロール装置１２または通信端末２２に報知する（Ｓ３１、Ｓ３２）。その報知に基づいて、使用者は、操作要求を入力し、照明機器３を遠隔制御する。なお、以降の動作は、第２実施形態と同様に行われる。
【００６９】
これにより、通信端末２２やコントロール装置１２から操作要求を送信後、遠隔操作装置２５が、照明機器３に制御信号を送信することなく操作要求の正誤を判断することができる。そのため、操作要求に対して即座に対応するので、正しく反映することが可能となり、制御信号による遠隔操作の信頼性が高くなる。
【００７０】
なお、本発明は、上記実施形態に限定されるものではなく、本発明の範囲内で修正、変更を加えることができるのは勿論である。例えば、屋外の通信端末とゲートウェイ装置との間の通信をインターネット網を介して行っているが、アナログ公衆回線を介して電話機が発するＰＢ信号にて操作できる構成であっても良い。また、コントローラ装置に、屋外との通信処理部が搭載された構成でも良い。更には、ゲートウェイ装置に操作入力部や表示部を備え、集中コントローラとした構成であっても良い。
【００７１】
また、本実施形態では、被制御機器の動作状態を確認する場合、電力線を流れる電流を電流検知回路で検出し、この検出結果に基づいて制御部が判断しているが、ソフト的に判断してもよい。例えば、入力部から点灯または消灯の入力があった場合、制御部は、入力された操作要求に基づいてフラグ情報をＥＥＰＲＯＭ等の不揮発性メモリに記憶する。また、定期的に電流検出回路から読み出されるデータに基づいて、動作状態に対応したフラグ情報を記憶してもよい。これにより、制御部は、使用者からの入力に対して、フラグ情報を読み出すことで即座に対応することができる。
【００７２】
また、リモコン装置によって操作された場合でも、その操作による動作状態の辺かを反映でき、現在の動作状態を常に確認できる。また、電流検出回路を被制御機器の動作状態を確認する動作確認部としているが、動作確認部として、対象物である被制御機器の動作、例えば、扇風機の羽根の動きやエアコンのルーバの動き等を検出するカメラ、あるいは、温度を検出するサーモグラフィ、または、光を検出する照度センサ等としてもよい。また、遠隔操作装置を壁に備えているが、特にこれに限られることなく、携帯可能としてもよい。
【００７３】
また、照明機器を被制御機器としているが、被制御機器は、テレビやエアコン、あるいは、ステレオ等といった、リモコン装置によって制御されるものであればよい。そして、遠隔操作装置は、種類の異なる複数の被制御機器に対して夫々制御信号を送信する。この時、遠隔操作装置は、複数の制御コードを設定しておく。これにより、遠隔制御システムの利用範囲が広がる。
【００７４】
また、第２実施形態における遠隔操作装置において、各種の被制御機器に応じた複数の制御コード情報を記憶しておく制御コード記憶部と、制御コード情報の中から特定の被制御機器に対する制御コード情報を設定する制御コード設定部とを備えてもよい。これにより、既存のリモコン対応の照明機器についても、登録処理をすることで利用することが可能となる。
【００７５】
さらに、電源供給部に、風力発電機や太陽光発電機等の自家発電機やバッテリやコンデンサ等の蓄電器を備えてもよい。これにより、電源供給部は、例えば、商用電源等が停止したとしても、蓄えていた電気を被制御機器に供給することができるので、非常時においても被制御機器を使用することができる。
【図面の簡単な説明】
【００７６】
【図１】本発明にかかる第１実施形態の照明機器の遠隔制御システムの構成図
【図２】第１実施形態の遠隔制御動作を示すフローチャート
【図３】第１実施形態の照明登録動作を示すフローチャート
【図４】第２実施形態の照明機器の遠隔制御システムの構成図
【図５】第２実施形態の遠隔操作時の操作画面を示す図
【図６】第２実施形態の遠隔制御動作を示すフローチャート
【図７】第３実施形態の遠隔制御システムの制御動作を示すフローチャート
【図８】第３実施形態の動作状態確認ボタンを備えた制御動作を示すフローチャート
【符号の説明】
【００７７】
１    遠隔操作装置
２    商用電源
３    照明機器
４    電源供給部
５    電流検知回路
６    制御部
７    送信部
８    入力部
９    登録スイッチ
１０  制御コード記憶部
１１  通信部
１２  コントロール装置
１３  通信部
１４  表示部
１５  操作入力部
１６  制御部
１７  リモコン装置
１８  制御部
１９  通信処理部
２０  内部通信部
２１  回線接続装置
２２  通信端末
２３  インターネット網
２４  ゲートウェイ装置
２５  遠隔操作装置
２６  制御コード設定部
２７  制御電源部
【図１】
2006129098.tif 000003
【図２】
2006129098.tif 000004
【図３】
2006129098.tif 000005
【図４】
2006129098.tif 000006
【図５】
2006129098.tif 000007
【図６】
2006129098.tif 000008
【図７】
2006129098.tif 000009
【図８】
2006129098.tif 000010